(57)【要約】【課題】土壌の保温機能、及び該土壌からの水分の蒸発阻止機能を有しながら、雨水あるいは散水した水が土壌に円滑に供給されるようにする。【解決手段】保形力を有するプラスチック材により、中心部が高く、かつ周面に周方向に延びる凹部（６，７）を有する山形状のカバー主体（４ａ，４ｂ）を設け、該カバー主体（４ａ，４ｂ）は周方向に分割可能にするとともに、該カバー主体（４ａ，４ｂ）の中心部に植物（３）の茎部（３ａ）が嵌合する嵌合孔（８）を形成し、前記凹部（６，７）の底部に水が通過可能な小孔（９，１０）を周方向に所定の間隔をおいて形成する。【選択図】　　　　図１
2004057125.tif 000002
【特許請求の範囲】
【請求項１】
保形力を有するプラスチック材により、中心部が高く、かつ周面に周方向に延びる凹部（６，７）を有する山形状のカバー主体（４ａ，４ｂ）を設け、該カバー主体（４ａ，４ｂ）は周方向に分割可能にするとともに、該カバー主体（４ａ，４ｂ）の中心部に植物（３）の茎部（３ａ）が嵌合する嵌合孔（８）を形成し、前記凹部（６，７）の底部に水が通過可能な小孔（９，１０）を周方向に所定の間隔をおいて形成したことを特徴とする植物の周囲土壌のカバー装置。
【請求項２】
カバー主体（４ａ，４ｂ）の周面に同心状となって周方向に延びる複数の凹部（６，７）を設け、各凹部（６，７）の底部に水が通過可能な小孔（９，１０）を周方向に所定ピッチで形成したことを特徴とする請求項１記載の植物の周囲土壌のカバー装置。
【発明の詳細な説明】
【０００１】
【発明の属する技術分野】
本発明は、植物の周囲土壌の表面を覆うカバー装置に関するものである。
【０００２】
【従来の技術】
従来は、植物の周囲土壌の表面に藁をかけたり、プラスチックフィルム製のシートをかけたりすることによって、土壌を保温するとともに、該土壌から水分が蒸発するのを防止するようにしていた。
【０００３】
【発明が解決しようとする課題】
上記土壌の表面に藁をかけるものは、藁の管理、調達に手数を要するとともに、土壌の表面にかけた藁が風によって散逸することになる。また、プラスチックフィルム製のシートは土壌に水を補給する際に該シートを剥がして補給する必要があり、水の補給に手数を要するものであつた。また、プラスチックフィルム製のシートに多数の小孔を明けたものもあったが、このものは保形機能がなく、土壌表面が山形あるいは畝状になっていると、シートが土壌表面に沿って傾斜し、該シートに当たる雨水あるいは散水した水はそのうちの大部分が該シートカバーに沿って側方に流下し、土壌への水の補給が不十分となるものであった。本発明は、上記不具合を解消した新規な植物の周囲土壌のカバー装置を得ることを目的とする。
【０００４】
【課題を解決するための手段】
本発明は、上記目的を達成するために以下の如く構成したものである。即ち、請求項１に係る発明は、保形力を有するプラスチック材により、中心部が高く、かつ周面に周方向に延びる凹部を有する山形状のカバー主体を設け、該カバー主体は周方向に分割可能にするとともに、該カバー主体の中心部に植物の茎部が嵌合する嵌合孔を形成し、前記凹部の底部に水が通過可能な小孔を周方向に所定の間隔をおいて形成する構成にしたものである。
また、請求項２に係る発明は、上記カバー主体の周面に同心状となって周方向に延びる複数の凹部を設け、各凹部の底部に水が通過可能な小孔を周方向に所定ピッチで形成したものである。
【０００５】
【発明の実施の形態】
以下本発明の実施例を図面に基いて説明する。図面において、図１は本発明の実施例を示す断面図、図２は図１の平面図、図３は本発明によるカバー装置の分解状態を示す平面図、図４は本発明によるカバー装置の組付け部の要部平面図、図５は図４のＶ−Ｖ拡大断面図である。
【０００６】
図１、図２において、１は鉢であり、内部に土壌（客土）２が収容され、該土壌２に植物３が植えられている。４は上記土壌２の上面を覆うプラスチック製のカバー装置である。該カバー装置４は、保形力を有するプラスチック材、例えば黒色に着色した厚さ約０．５ｍｍのポリプロピレンシートにより円錐、あるいは角錐等の山形状に形成する。例えば、上記鉢１の上縁部１ａの形状が円形の場合はカバー装置４を円錐状に、上記鉢１の上縁部１ａの形状が角形の場合は該カバー装置４を角錐状に形成する。本例では円錐状のカバー装置４について説明する。
【０００７】
上記カバー装置４は、図１〜図３に示すように、左右に二分割された半円錐状のカバー主体４ａ，４ｂを互いに組み合わせてなる。各カバー主体４ａ，４ｂは、その頂部を半球面に凹ませで第１凹部５，５を形成し、その中周部及び外周部に円周方向に同心状に延びる断面円弧状の第２凹部６，６及び第３凹部７，７を形成し、上記第１凹部５，５の相対する中心部に半円状の切欠部８ａ，８ａを形成する。また、上記各第２凹部６，６及び第３凹部７，７の底部に水が通過可能な長方形状の小孔９，１０を周方向に所定の間隔をおいて形成する。
【０００８】
上記各カバー主体４ａ，４ｂの分割端部に例えば６個の係止具１１を設ける。即ち、図３〜図５に示すように、左部のカバー主体４ａに係止ピン１１ａを上向きに突出形成し、右部のカバー主体４ｂに上記係止ピン１１ａが嵌合する係止孔１１ｂを形成する。
【０００９】
そして、左右のカバー主体４ａ，４ｂを植物３を挟んで互いに接近させ、その分割端部の各係止ピン１１ａと各係止孔１１ｂとを嵌合係止して両者を連結することにより、前述した各切欠部８ａ，８ａにより植物３の茎部３ａが嵌合する円形の嵌合孔８を形成し、また、各第２凹部６，６及び第３凹部７，７により、カバー装置４の中周部及び外周部にリング溝を形成する。なお、カバー装置４の下縁部４ｃの外径は、鉢１の上縁部１ａの内径よりも若干大径とし、該上縁部１ａでカバー装置４の下縁部４ｃを支持することにより、該カバー装置４の姿勢を安定させる。
【００１０】
なお、上記カバー装置４は左右に分割したカバー主体４ａ，４ｂを組み付けて形成するようにしたが、これは、周面の１箇所が半径線で分離された分離形のカバー装置４としてもよい。また、前述した第１、第２凹部６，７は、下部外周に位置する第２凹部７のみとしてもよい。この場合、カバー装置４の表面に降りかかった雨水あるいは散水した水がカバー装置４の外周から外側に漏洩しないよう、その周面の傾斜角度、第２凹部７の深さ（大きさ）等を適宜調整する。また、本発明によるカバー装置４は路地植物に適用するようにしてもよい。
【００１１】
【発明の効果】
以上の説明から明らかな如く、請求項１に係る発明は、保形力を有するプラスチック材により、周方向に分割可能な山形にするとともに、周面に周方向に延びる凹部形成し、該凹部の底部に水が通過可能な小孔を周方向に所定の間隔をおいて形成するようにしたので、土壌の保温機能、及び該土壌からの水分の蒸発阻止機能を有するとともに、カバー表面に降りかかった雨水あるいは散水した水は上記凹部により捕捉され、その底部に形成した小孔から土壌に円滑に供給されることになる。
また、請求項２に係る発明は、上記カバー主体の周面に同心状となって周方向に延びる複数の凹部を設け、各凹部の底部に水が通過可能な小孔を周方向に所定ピッチで形成するようにしたので、カバー表面に降りかかった雨水あるいは散水した水はより効率よく土壌に供給されることになる。
【図面の簡単な説明】
【図１】本発明の実施例を示す断面図である。
【図２】図１の平面図である。
【図３】本発明によるカバー装置の分解状態を示す平面図である。
【図４】本発明によるカバー装置の組付け部の要部平面図である。
【図５】図４のＶ−Ｖ拡大断面図である。
【符号の説明】
１　　鉢
１ａ　上縁部
２　　土壌
３　　植物
３ａ　茎部
４　　カバー装置
４ａ，４ｂ　カバー主体
４ｃ　下縁部
５　　第１凹部
６　　第２凹部
７　　第３凹部
８　　嵌合孔
８ａ　切欠部
９，１０　小孔
１１　　係止具
１１ａ　係止ピン
１１ｂ　係止孔
【図１】
2004057125.tif 000003
【図２】
2004057125.tif 000004
【図３】
2004057125.tif 000005
【図４】
2004057125.tif 000006
【図５】
2004057125.tif 000007